(57)【要約】【課題】  箸の表面に平面部と曲面部とを交互に設け、指先等で平面部を押さえて箸が安定し、曲面部が指や指の付け根に当接し、箸の使用時に箸が動いても、当りが柔らかく手になじむ箸を提供する。【解決手段】  長手方向に対して直角の断面の形状が円形の箸素材の表面を、長手方向に全長にわたるか、または、食物を掴む部分を除いて、または、箸の使用時に手で持つ部分に相当する中間部を、３筋または２筋、間隔を置いて、平面状に削り、該平面２と削らずに残った曲面３とを交互に配設する。２筋の平面と曲面とを交互に配設する場合には、２つの平面が長手方向に対して直角の断面において八の字状を形成させる。【選択図】    図１
0003109676.tif 000002
【実用新案登録請求の範囲】
【請求項１】
長手方向に対して直角の断面の形状が円形の箸素材の表面を、長手方向に全長にわたるか、または、食物を掴む部分を除いて、３筋の平面に、側方に実質的に等間隔を置いて削り、かつ、前記箸素材の長手方向に直角の断面において、中心点と前記平面両側を結ぶ角度および中心点と削らずに残った曲面両側を結ぶ角度がそれぞれ実質的に６０度となるようにしてなる前記平面と曲面とが交互に配設されてなる箸。
【請求項２】
長手方向に対して直角の断面の形状が円形の箸素材の、箸の使用時に手で持つ部分に相当する中間部の表面を、長手方向に３筋の平面に、側方に実質的に等間隔を置いて、かつ、前記箸素材の長手方向に直角の断面において、中心点と前記平面両側を結ぶ角度および中心点と削らずに残った曲面両側を結ぶ角度がそれぞれ実質的に６０度となるようにしてなる前記平面と曲面とが交互に配設されてなる箸。
【請求項３】
長手方向に対して直角の断面の形状が多角形の箸素材の、箸の使用時に手で持つ部分に相当する中間部の表面を、長手方向に平面と曲面とを交互にそれぞれ３筋で、前記箸素材の長手方向に直角の断面において、中心点と前記平面両側を結ぶ角度および中心点と前記曲面両側が実質的に６０度となるようにして、削り、前記平面と曲面とが交互に配設されてなる箸。
【請求項４】
長手方向に対して直角の断面の形状が円形の箸素材の表面を、長手方向に全長にわたるか、または、食物を掴む部分を除いて、２筋、側方に不等間隔を置いて、平面状に削り、該平面と削らずに残った曲面とが交互に配設され、かつ、前記２つの平面が長手方向に対して直角の断面において八の字状を形成してなる箸。
【請求項５】
長手方向に対して直角の断面の形状が円形の箸素材の、箸の使用時に手で持つ部分に相当する中間部の表面を、長手方向に２筋、側方に不等間隔を置いて、平面状に削り、該平面と削らずに残った曲面とが交互に配設され、かつ、前記２つの平面が長手方向に対して直角の断面において八の字状を形成してなる箸。
【請求項６】
長手方向に対して直角の断面の形状が多角形の箸素材の、箸の使用時に手で持つ部分に相当する中間部の表面を、長手方向に、側方に不等間隔を置いて、２筋の平面に削り、前記２筋の平面間を曲面に削り、これら平面と曲面とが交互に、かつ、前記２筋の平面が長手方向に対して直角の断面において八の字状を形成してなる箸。
【考案の詳細な説明】
【技術分野】
【０００１】
この考案は、安定して持ち易い箸に関するものである。
【背景技術】
【０００２】
従来の箸は、特許文献１に記載のように、断面形状が丸型か、または、角型である。
【特許文献１】実開  平３−３７９６３公報（図１および図３）
【考案の開示】
【考案が解決しようとする課題】
【０００３】
従来の箸は、手で持ったときには、丸型では滑り易くて安定せず、角型では、角ばって触感が悪く手になじまない問題がある。
【課題を解決するための手段】
【０００４】
長手方向に対して直角の断面の形状が円形の箸素材の表面を、長手方向に全長にわたるか、または、食物を掴む部分を除いて、３筋の平面に、側方に実質的に等間隔を置いて削り、かつ、前記箸素材の長手方向に直角の断面において、中心点と前記平面両側を結ぶ角度および中心点と削らずに残った曲面の両側を結ぶ角度がそれぞれ実質的に６０度となるようにして前記平面と曲面とを交互に配設する。
【０００５】
長手方向に対して直角の断面の形状が円形の箸素材の、箸の使用時に手で持つ部分に相当する中間部の表面を、長手方向に３筋の平面に、側方に実質的に等間隔を置いて、かつ、前記箸素材の長手方向に直角の断面において、中心点と前記平面両側を結ぶ角度および中心点と削らずに残った曲面の両側を結ぶ角度がそれぞれ実質的に６０度となるようにして前記平面と曲面とを交互に配設する。
【０００６】
長手方向に対して直角の断面の形状が多角形の箸素材の、箸の使用時に手で持つ部分に相当する中間部の表面を、長手方向に平面と曲面とに交互に、それぞれ３筋で、前記箸素材の長手方向に直角の断面において、中心点と前記平面両側を結ぶ角度および中心点と削らずに残った曲面の両側を結ぶ角度がそれぞれ実質的に６０度となるようにして前記平面と曲面とを交互に配設する。
【０００７】
長手方向に対して直角の断面の形状が円形の箸素材の表面を、長手方向に全長にわたるか、または、食物を掴む部分を除いて、２筋、側方に不等間隔を置いて、平面状に削り、該平面と削らずに残った曲面とが交互に配設され、かつ、前記２筋の平面が長手方向に対して直角の断面において八の字状を形成する。
【０００８】
長手方向に対して直角の断面の形状が円形の箸素材の、使用時に手で持つ部分に相当する中間部の表面を、長手方向に２筋、側方に不等間隔を置いて、平面状に削り、該平面と削らずに残った曲面とが交互に配設され、かつ、前記２筋の平面が長手方向に対して直角の断面において八の字状を形成する。
【０００９】
長手方向に対して直角の断面の形状が多角形の箸素材の、使用時に手で持つ部分に相当する中間部の表面を、長手方向に、側方に不等間隔を置いて、２筋の平面と２筋の曲面とに削り、これら平面と曲面とが交互に、かつ、前記２筋の平面が長手方向に対して直角の断面において八の字状を形成する。
【考案の効果】
【００１０】
この考案に係る箸は、平面部を指先で押し、指の脇腹や付け根部分に当て、曲面部を指先、指の中間部や付け根部分に当て、箸を安定させると共に、箸の使用による動きの際には、曲面部が回動して手に当り、触感が柔らかく手になじむ。
【考案を実施するための最良の形態】
【００１１】
図１および図２に示す箸１は、長手方向に直角の断面が円形の箸素材を、全長にわたって、または、使用時に植物を掴む先端部分を除いて、削って、側方に実質的に等間隔をおいて３筋の平面２を設け、その間隔を削らずに曲面３のままにしたもので、３筋の平面２ａ、２ｂ、２ｃと３筋の曲面３ａ、３ｂ、３ｃを交互に、すなわち、２ａ−３ａ−２ｂ−３ｂ−２ｃ−３ｃの順に箸１の表面を形成したものである。
【００１２】
この箸１を使用するときには、二本の箸１のうち一方の箸１を右手の人差指（第２指）の先端腹部で平面２ａを押さえると、親指（第１指）の先端腹部が平面２ｂを押さえ、中指（第３指）の先端側部が平面２ｃを下から押し、これら３本の指で箸１を挟み、同時に人差指の中間側部が曲面３ｃと平面２ｃとに当接して箸１を支える。その際、他方の箸１は、中指先端で平面２ａを押し、薬指（第４指）の先端側部で曲面３ｃを押し親指中間腹部で平面２ｂと曲面３ａを押して箸を挟み、かつ、曲面３ｃと平面２ｃが人差指の付け根側部に当接し、箸１を支える。
これにより２本の箸１が安定し、かつ、箸の使用による動きの際には、曲面部が回動して手に当り、触感が柔らかく手になじむ。
【００１３】
図３および図４に示す箸４は、長手方向に直角の断面形状が円形の箸素材の、箸の使用時に手で持つ部分となる中間部を、長手方向に削って、側方に実質的に等間隔をおいて３筋の平面５を設け、その間隔を削らずに曲面６のままにしたもので、３筋の平面５ａ、５ｂ、５ｃと３筋の曲面６ａ、６ｂ、６ｃを交互に、すなわち、５ａ−６ａ−５ｂ−６ｂ−５ｃ−６ｃの順に箸１の中間部表面を形成したものである。
【００１４】
この箸４を使用する際には、００１２で説明した箸１の場合と同様で、箸１の平面２ａ、２ｂ、２ｃを箸４の平面５ａ、５ｂ、５ｃと読替え、箸１の曲面３ａ、３ｂ、３ｃを箸４の平面６ａ、６ｂ、６ｃと読替えた状態となる。
【００１５】
図５および図６に示す箸７は、長手方向に直角の断面六角形状の箸素材の、箸の使用時に手で持つ部分となる中間部を削って、側方に実質的に等間隔をおいて３筋の平面８を設け、その間隔を曲面９にしたもので、３筋の平面８ａ、８ｂ、８ｃと３筋の曲面９ａ、９ｂ、９ｃを交互に、すなわち、８ａ−９ａ−８ｂ−９ｂ−８ｃ−９ｃの順に箸１の中間部表面を形成したものである。
【００１６】
この箸７を使用する際には、００１２で説明した箸１の場合と同様で、箸１の平面２ａ、２ｂ、２ｃを箸７の平面８ａ、８ｂ、８ｃと読替え、箸１の曲面３ａ、３ｂ、３ｃを箸７の平面９ａ、９ｂ、９ｃと読替えた状態となる。
【００１７】
箸７は、長手方向に直角の断面六角形状の箸素材を用いたが、断面形状が六角形以外の多角形の箸素材を用いてもよい。
【００１８】
なお、箸１、４および７において、各平面の間隔、すなわち曲面の幅、は限定しないが、実質的に等間隔、すなわち、箸素材の長手方向に直角の断面において、中心点と平面両側とを結ぶ角度αおよび中心点と曲面両側とを結ぶ角度αが実質的に等しく、すなわち、角度αを実質的に角度６０度とするのが好ましい。
【００１９】
図７および８に示す箸１０は、長手方向に直角の断面形状が円形の箸素材の、長手方向に、全長にわたって、または、食物を掴む先端部分を除いて、削って２筋の平面１１を形成したものである。そして、その２筋の平面１１は、間隔が不等であり、かつ、互いに面が平行でなく、長手方向に直角の断面、図のＤ−Ｄ断面において「八」の字状に末拡がりの形状である。従って、削らないで残った曲面は、八の上方の狭い方の先端間の曲面１２よりも八の下方の広い方の先端間の曲面１３の方が幅が広い。
この箸１０は、平面１１ａ−曲面１２−平面１１ｂ−曲面１３で構成される。
【００２０】
この箸１０を使用する場合には、右手の人差指の先端腹部が平面１０ａを押さえると、親指の先端腹部が平面１０ｂを押さえ、中指の先端側部が曲面１３を下から押し、これら３本の指で箸１０を挟み、同時に人差指の中間側部が曲面１３に当接して箸１０を支える。その際、他方の箸１０は、中指先端腹部で平面１１ａを押し、親指先端腹部で曲面１２を押し、親指の中間腹部が平面１１ｂにあ当り、薬指の先端側部で曲面１３を支えて箸を挟み、同時に人差指の付け根部が曲面１３に当接して、支える。
これにより箸１０が安定し、かつ、箸の使用による動きの際には、曲面部が回動して手に当り、触感が柔らかく手になじむ。
【００２１】
図９および１０に示す箸１４は、長手方向に直角の断面形状が円形の箸素材の、箸の使用時に手で持つ部分となる中間部を、長手方向に削って２筋の平面１５を形成したものである。そして、その２筋の平面１５は、間隔が不等であり、かつ、互いに面が平行でなく、長手方向に直角の断面、図のＥ−Ｅ断面において「八」の字状に末拡がりの形状である。従って、削らないで残った曲面は、八の上方の狭い方の先端間の曲面１６よりも八の下方の広い方の先端間の曲面１７の方が幅が広い。
この箸１４は、平面１５ａ−曲面１６−平面１５ｂ−曲面１７で構成される。
【００２２】
この箸１４を使用する際には、００１９に記載の箸１０の場合と同様であって、箸１０の平面１１ａ、１１ｂを箸１４の平面１５ａ、１５ｂと読替え、箸１０の曲面１２、１３を箸１４の曲面１６、１７と読替えた状態となる。
これにより箸１４が安定し、かつ、箸の使用による動きの際には、曲面部が回動して手に当り、触感が柔らかく手になじむ。
【００２３】
図１１および１２に示す箸１８は、長手方向に直角の断面形状が六角形の箸素材の、箸の使用時に手で持つ部分となる中間部を、長手方向に削って２筋の平面１９ａ、１９ｂと２筋の曲面２０、２１をそれぞれの平面と曲面とを交互に形成したものである。そして、その２筋の平面１９は、間隔が不等であり、かつ、互いに面が平行でなく、長手方向に直角の断面、図のＦ−Ｆ断面において「八」の字状に末拡がりの形状である。従って、２つの曲面２０と２１は、八の上方の狭い方の先端間の曲面２０よりも八の下方の広い方の先端間の曲面２１の方が幅が広い。
この箸１８は、平面１９ａ−曲面２０−平面１９ｂ−曲面２１で構成される。
【００２４】
この箸１８を使用擦る場合には、００１９に記載の箸１０の場合と同様であって、箸１０の平面１１ａ、１１ｂを箸１８の平面１９ａ、１９ｂと読替え、箸１０の曲面１２、１３を箸１８の曲面２０、２１と読替えた状態となる。
これにより箸１８が安定し、かつ、箸の使用による動きの際には、曲面部が回動して手に当り、触感が柔らかく手になじむ。
【００２５】
箸７および１８は、長手方向に直角の断面六角形状の箸素材を用いたが、断面形状が六角形以外の多角形の箸素材を用いてもよい。
【図面の簡単な説明】
【００２６】
【図１】箸の要部側面図である。
【図２】箸のＡ−Ａ拡大断面図である。
【図３】他の実施形態の形態の箸の要部側面図である。
【図４】箸のＢ−Ｂ拡大断面図である。
【図５】他の実施形態の形態の箸の要部側面図である。
【図６】箸のＣ−Ｃ拡大断面図である。
【図７】他の実施形態の形態の箸の要部側面図である。
【図８】箸のＤ−Ｄ拡大断面図である。
【図９】他の実施形態の形態の箸の要部側面図である。
【図１０】箸のＥ−Ｅ拡大断面図である。
【図１１】他の実施形態の形態の箸の要部側面図である。
【図１２】箸のＦ−Ｆ拡大断面図である。
【符号の説明】
【００２７】
１、４、７、１０、１４、１８  箸
２、５、８、１１、１５、１９  平面
３、６、９、１１、１２、１６、１７、２０、２１  曲面
【図１】
0003109676.tif 000003
【図２】
0003109676.tif 000004
【図３】
0003109676.tif 000005
【図４】
0003109676.tif 000006
【図５】
0003109676.tif 000007
【図６】
0003109676.tif 000008
【図７】
0003109676.tif 000009
【図８】
0003109676.tif 000010
【図９】
0003109676.tif 000011
【図１０】
0003109676.tif 000012
【図１１】
0003109676.tif 000013
【図１２】
0003109676.tif 000014